(57)【要約】      （修正有）【課題】コンデンサをオートメーションにて取付部位に支持させることができる電力変換装置を提供する。【解決手段】電解型のコンデンサ１５が所定の取付部位１０ａに支持された電力変換装置１０において、コンデンサ１５の外周面形状に対応して湾曲状を成すバンド本体と、バンド本体の内部にコンデンサ１５が配置される場合に、互いに上下に重なる態様で該バンド本体の両端部に設けられ、かつカシメにより互いに締結されることによりバンド本体の内面をコンデンサ１５の外周面に接触させる一対の締結片２２と、バンド本体に設けられ、かつ取付ネジ３０により取付部位１０ａに固定されることにより、コンデンサ１５を該取付部位１０ａに支持させる固定片２３とを有する固定バンド２０を備える。【選択図】図２
2017117885.tif 000002
【特許請求の範囲】
【請求項１】
コンデンサが所定の取付部位に支持された電力変換装置において、
前記コンデンサの外周面形状に対応して湾曲状を成すバンド本体と、
前記バンド本体の内部に前記コンデンサが配置される場合に、互いに上下に重なる態様で該バンド本体の両端部に設けられ、かつ締結手段により互いに締結されることにより前記バンド本体の内面を前記コンデンサの外周面に接触させる一対の締結部と、
前記バンド本体に設けられ、かつ取付部材により前記取付部位に固定されることにより、前記コンデンサを該取付部位に支持させる固定部と
を有する固定バンドを備えたことを特徴とする電力変換装置。
【請求項２】
前記一対の締結部は、カシメ、接着、溶接、ネジ止めのいずれかにより互いに締結されることを特徴とする請求項１に記載の電力変換装置。
【発明の詳細な説明】
【技術分野】
【０００１】
本発明は、電力変換装置に関し、より詳細には、電解型のコンデンサが所定の取付部位に支持された電力変換装置に関するものである。
【背景技術】
【０００２】
従来、例えば昇降機や空調機等の制御において用いられる電力変換装置では、特許文献１に提案されているように、アルミニウム電解コンデンサのような電解型のコンデンサが固定バンドにより所定の取付部位に支持されているものが知られている。
【０００３】
固定バンドは、バンド本体と、締結部と、固定部とを備えている。バンド本体は、コンデンサの外周面形状に対応して湾曲状に形成されている。締結部は、バンド本体の両端部に設けられており、バンド本体の内部にコンデンサが配置される場合に互いに離隔した態様で対向する一対のものである。このような一対の締結部は、ネジやナット等の締結部材により互いの離間距離が小さくなるように締結することで、バンド本体の内面がコンデンサの外周面に接触するようコンデンサに対してバンド本体を締め付けるものである。固定部は、バンド本体に設けられており、取付部位に取付部材を介して固定されることで、コンデンサを取付部位に支持させるものである。
【先行技術文献】
【特許文献】
【０００４】
【特許文献１】実開平５−７７９２７号公報
【発明の概要】
【発明が解決しようとする課題】
【０００５】
ところで、上記電力変換装置においては、バンド本体の内部にコンデンサが配置される場合に、互いに離隔する態様で対向する締結部同士を互いの離間距離が小さくなるように締結しているので、次のような問題があった。
【０００６】
すなわち、円柱状のコンデンサの直径のバラツキや、寸法誤差等によるバンド本体の曲率のバラツキにより、バンド本体の内部にコンデンサが配置される場合の締結部同士の離間距離の大きさが異なるため、結果的に、自動機等を用いてオートメーションにてコンデンサを取付部位に支持させることが困難であった。
【０００７】
本発明は、上記実情に鑑みて、コンデンサをオートメーションにて取付部位に支持させることができる電力変換装置を提供することを目的とする。
【課題を解決するための手段】
【０００８】
上記目的を達成するため、本発明に係る電力変換装置は、コンデンサが所定の取付部位に支持された電力変換装置において、前記コンデンサの外周面形状に対応して湾曲状を成すバンド本体と、前記バンド本体の内部に前記コンデンサが配置される場合に、互いに上下に重なる態様で該バンド本体の両端部に設けられ、かつ締結手段により互いに締結されることにより前記バンド本体の内面を前記コンデンサの外周面に接触させる一対の締結部と、前記バンド本体に設けられ、かつ取付部材により前記取付部位に固定されることにより、前記コンデンサを該取付部位に支持させる固定部とを有する固定バンドを備えたことを特徴とする。
【０００９】
また本発明は、上記電力変換装置において、前記一対の締結部は、カシメ、接着、溶接、ネジ止めのいずれかにより互いに締結されることを特徴とする。
【発明の効果】
【００１０】
本発明によれば、固定バンドを構成するバンド本体の内部にコンデンサが配置される場合に、バンド本体の両端部に設けられた一対の締結部が上下に重なり合い、かつ締結手段により互いに締結されることによりバンド本体の内面をコンデンサの外周面に接触させるので、バンド本体の曲率等にバラツキ等があったとしても締結部同士が上下に重なり合っており、締結部同士を容易に締結させることができる。従って、コンデンサをオートメーションにて取付部位に支持させることができるという効果を奏する。
【図面の簡単な説明】
【００１１】
【図１】図１は、本発明の実施の形態である電力変換装置を模式的に示す模式図である。
【図２】図２は、図１に示したコンデンサの支持構造を示す説明図である。
【図３】図３は、図２に示した固定バンドを示す斜視図である。
【図４】図４は、図３に示した固定バンドの内部にコンデンサが配置された場合の要部を拡大して示す説明図である。
【図５】図５は、互いに上下に重なりあう締結片の締結手順を示しており、（ａ）は締結前の状態を示す説明図であり、（ｂ）は締結後の状態を示す説明図である。
【発明を実施するための形態】
【００１２】
以下に添付図面を参照して、本発明に係る電力変換装置の好適な実施の形態について詳細に説明する。
【００１３】
図１は、本発明の実施の形態である電力変換装置を模式的に示す模式図である。ここで例示する電力変換装置１０は、順変換部１１と逆変換部１２とを有する主回路を備えている。
【００１４】
順変換部１１は、商用電源１３から供給されるＲ相、Ｓ相、Ｔ相の３相からなる交流電力を直流電力に変換するものである。逆変換部１２は、順変換部１１にて変換した直流電力を、任意の周波数で任意の電圧の３相交流電力に変換して、誘導電動機等の負荷１４に出力するものである。
【００１５】
上記電力変換装置１０においては、主回路の直流の＋−端子間に平滑用のコンデンサ１５が設けてある。このコンデンサ１５としては、静電容量の大きいものが望ましく、アルミニウム電解コンデンサのような電解型のものが用いられている。尚、図１中の符号１６は、突入電流抑制用の抵抗であり、符号１７は、抵抗短絡用の接点である。抵抗１６は、電源投入時、コンデンサ１５に流れる突入電流を所定値に制限するものである。接点１７は、定常時には抵抗１６を短絡し、電力損失が生じないにするためのものである。
【００１６】
上記コンデンサ１５は、図２に示すように、複数（図示の例では２つ）設けられており、それぞれ円柱状の形態を成しており、上面に正負の端子１５ａが設けてある。各コンデンサ１５は、固定バンド２０を介して電力変換装置１０におけるコンデンサ取付板等の所定の取付部位１０ａに支持されている。
【００１７】
図３は、図２に示した固定バンド２０を示す斜視図である。ここで例示する固定バンド２０は、金属材料から形成されるものであり、バンド本体２１と、締結片（締結部）２２と、固定片（固定部）２３と、支持片２４とを備えて構成してある。
【００１８】
バンド本体２１は、円弧状を成しており、より詳細にはコンデンサ１５の外周面形状に対応して湾曲状を成している。締結片２２は、バンド本体２１の両端部に設けられており、それぞれ該バンド本体２１の端部において該バンド本体２１の径方向外部に向けて屈曲して形成された水平部分である。
【００１９】
固定片２３は、複数（図示の例では２つ）設けてあり、それぞれバンド本体２１の上部における任意の部分において該バンド本体２１の径方向外部に屈曲して形成された部分であり、上下に貫通する取付孔２３ａが形成してある。
【００２０】
支持片２４は、複数（図示の例では３つ）設けてあり、それぞれバンド本体２１の上部における任意の部分において該バンド本体２１の径方向外部に屈曲して形成された部分である。この支持片２４の上面は、固定片２３の上面と略同じ高さレベルにある。
【００２１】
このような構成を有する固定バンド２０は、図４に示すように、バンド本体２１の内部に取付対象となるコンデンサ１５が配置される場合、締結片２２同士が上下に重なり合う。そして、バンド本体２１のすべての内面がコンデンサ１５の外周面に接触するようにコンデンサ１５に対して固定バンド２０を締め付けた状態で、図５の（ａ）→（ｂ）に示すように、上下に重なり合う締結片２２同士の任意の個所にカシメ加工を施すことで締結片２２同士がカシメにより締結される。
【００２２】
その後に、取付部位１０ａに形成された貫通孔１０ｂに対してコンデンサ１５を下方から挿通させた状態で、固定片２３の取付孔２３ａを下方から挿通する取付ネジ（取付部材）３０が取付部位１０ａの下面に螺合することで固定片２３が取付部位１０ａに固定される。これにより、コンデンサ１５は、固定バンド２０を介して取付部位１０ａに支持される。
【００２３】
この場合において、図には明示しないが、支持片２４の上面も取付部位１０ａの下面に当接しており、また、各コンデンサ１５は、それぞれの端子１５ａが同じ高さレベルとなるように取付部位１０ａに支持される。
【００２４】
そして、各コンデンサ１５の端子１５ａにブスバーと称される導体バー３１を連結することで、該コンデンサ１５は、上述したように主回路の直流の＋−端子間の平滑用に用いることができる。
【００２５】
以上説明したように、本実施の形態である電力変換装置１０によれば、固定バンド２０を構成するバンド本体２１の内部にコンデンサ１５が配置される場合に、バンド本体２１の両端部に設けられた一対の締結片２２が上下に重なり合い、かつカシメにより互いに締結されることによりバンド本体２１の内面をコンデンサ１５の外周面に接触させるので、コンデンサ１５の直径や、バンド本体２１の曲率等にバラツキ等があったとしても締結片２２同士が上下に重なり合っており、締結片２２同士を容易に締結させることができる。従って、コンデンサ１５をオートメーションにて取付部位１０ａに支持させることができる。
【００２６】
上記電力変換装置１０によれば、締結片２２同士をカシメにより締結させるので、従来のようにネジ等を用いる場合に対して部品点数を削減でき、製造コストの低減化を図ることができる。
【００２７】
以上、本発明の好適な実施の形態について説明したが、本発明はこれに限定されるものではなく種々の変更を行うことができる。
【００２８】
上述した実施の形態では、締結片２２同士をカシメにより締結していたが、本発明においては、締結部同士を例えば、接着、溶接、ネジ止め等により締結させてもよい。
【符号の説明】
【００２９】
１０  電力変換装置
１０ａ  取付部位
１５  コンデンサ
１５ａ  端子
２０  固定バンド
２１  バンド本体
２２  締結片（締結部）
２３  固定片（固定部
２３ａ  取付孔
２４  支持片
３０  取付ネジ（取付部材）
【図１】
2017117885.tif 000003
【図２】
2017117885.tif 000004
【図３】
2017117885.tif 000005
【図４】
2017117885.tif 000006
【図５】
2017117885.tif 000007